(57)【要約】      （修正有）【課題】間接空冷方式（溶液分離冷却方式）を採用した場合において、吸収器の圧力を低下させ、蒸発温度を低下させることができるようにした高効率かつ小型、低コストの空冷吸収式冷凍装置を提供する。【解決手段】発生器、溶液熱交換器、凝縮器、蒸発器、吸収器を備え、吸収器の冷却方式を、当該吸収器に流入する吸収溶液を空冷冷却器にて過冷却した溶液の顕熱で取り去るだけの間接空冷方式とする一方、蒸発器、吸収器を上下２段とし、吸収溶液を空冷冷却器にて過冷却して上段側の吸収器４Ａに流入させ、上段側の吸収器では、その出口側吸収溶液を過冷却の状態で下段側の吸収器４Ｂに流入させることにより、上段側吸収器での吸収器の圧力を下段側の吸収器の圧力よりも低下させて蒸発温度を低下させるとともに、蒸発器での被冷却流体を下段側蒸発器３Ｂより上段側蒸発器３Ａへ連通させるようにした。【選択図】図２
2007278570.tif 000002
【特許請求の範囲】
【請求項１】
発生器、溶液熱交換器、凝縮器、蒸発器、吸収器を備えてなる空冷吸収式冷凍装置であって、吸収器の冷却方式を、当該吸収器に流入する吸収溶液を空冷冷却器にて過冷却した溶液の顕熱で取り去るだけの間接空冷方式とする一方、蒸発器、吸収器を上下２段とし、吸収溶液を空冷冷却器にて過冷却して上段側の吸収器に流入させ、上段側の吸収器では、その出口側吸収溶液を過冷却の状態で下段側の吸収器に流入させることにより、吸収器圧力を上段側と下段側とで変化させ、上段側吸収器での吸収器の圧力を下段側の吸収器の圧力よりも低下させて蒸発温度を低下させるとともに、蒸発器での被冷却流体を下段側蒸発器より上段側蒸発器へ連通させたことを特徴とする空冷吸収式冷凍装置。
【請求項２】
蒸発器、吸収器各段の熱交部に冷媒、吸収溶液をそれぞれ均等に分配するための分配トレイを設け、蒸発器ではプレート部の表面を冷媒が液膜状態で流下し、冷媒が蒸発することによりプレート部内側の被冷却流体通路を流れる被冷却流体を冷却する構造とする一方、吸収器は過冷却された吸収溶液がプレート部の表面を液膜状態で垂直に流下することにより蒸発器からの冷媒蒸気の吸収を促進させる構造としたことを特徴とする請求項１記載の空冷吸収式冷凍装置。
【請求項３】
吸収器は、多数の穴を設け、かつコの字状に折り曲げた複数枚のプレートを積層してなり、過冷却された溶液が、それらプレートの表面を液滴状態で落下しながら、プレートの表面に広がるに液膜を形成し、これら液滴と液膜の両方で蒸発器からの冷媒蒸気の吸収を効率良く促進させるように構成されていることを特徴とする請求項１又は２記載の空冷吸収式冷凍装置。
【発明の詳細な説明】
【技術分野】
【０００１】
本願発明は、空冷吸収式冷凍装置の吸収器および蒸発器部分の構成に関するものである。
【背景技術】
【０００２】
従来一般の空冷吸収式冷凍装置は、吸収器で冷媒蒸気を吸収したながら、吸収溶液を空冷フィンで冷却する直接空冷方式を採用しており、吸収器では、冷媒蒸気の吸収と吸収溶液の冷却とを同時に行うための気液界面の拡大が重要であるため、小型化への制約が大きい。
【０００３】
例えば上下吸収器ヘッダーでのスペース、蒸気圧損考慮のための大口径管の使用、冷媒蒸気の流速制限に起因して蒸発器との連絡管が太くなる等である。また、コスト的にも、溶接による接続箇所があるため、小型機では割高となる。
【０００４】
これに対して、吸収器に流入する吸収溶液を空冷式の冷却器（空冷溶液熱交換器）にて過冷却することによって、吸収器内では単に冷媒蒸気のみを吸収させ、吸収熱は同過冷却された吸収溶液の顕熱で取り去るだけの間接空冷方式（溶液分離冷却方式）がある。同方式では、蒸気の吸収という物質移動と冷却の熱移動とが分離されるので、それだけ吸収器部分が小型化される。したがって、小型の空冷吸収器では有利である（例えば特許文献１参照）。
【０００５】
【特許文献１】特開平７−９８１６３号公報（明細書１−８，図１−１２）
【発明の開示】
【発明が解決しようとする課題】
【０００６】
しかし、この方式は、過冷却された吸収溶液の顕熱で吸収熱を取り去るために、従来の直接空冷方式に比べて溶液の吸収器出口側溶液の温度が高くなる。したがって、吸収器圧力が上昇するとともに、蒸発温度が高くなり、冷凍能力に劣る傾向がある。
【０００７】
本願発明は、このような問題を解決するためになされたもので、吸収器の冷却方式を、吸収器に流入する吸収溶液を空冷冷却器によって過冷却した吸収溶液の顕熱で取り去るだけの間接空冷方式とする一方、蒸発器、吸収器を上下２段とし、吸収溶液を空冷冷却器にて過冷却して上段側の吸収器に流入させ、上段側の吸収器からの溶液を過冷却状態のままで下段側の吸収器に流入させることにより吸収器圧力を上段側と下段側とで変化させ、上段側吸収器での吸収器の圧力を下段側の吸収器の圧力よりも低下させて蒸発温度を低下させるようにし、かつ蒸発器での被冷却流体を下段側蒸発器より上段側蒸発器へ連通させた高効率かつ小型、低コストの空冷吸収器を提供することを目的とするものである。
【課題を解決するための手段】
【０００８】
本願各発明は、上記の目的を達成するために、それぞれ次のような課題解決手段を備えて構成されている。
【０００９】
（１）  請求項１の発明
この発明の課題解決手段は、発生器、溶液熱交換器、凝縮器、蒸発器、吸収器を備えてなる空冷吸収式冷凍装置であって、吸収器の冷却方式を、当該吸収器に流入する吸収溶液を空冷冷却器にて過冷却した溶液の顕熱で取り去るだけの間接空冷方式とする一方、蒸発器、吸収器を上下２段とし、吸収溶液を空冷冷却器にて過冷却して上段側の吸収器に流入させ、上段側の吸収器では、その出口側吸収溶液を過冷却の状態で下段側の吸収器に流入させることにより、吸収器圧力を上段側と下段側とで変化させ、上段側吸収器での吸収器の圧力を下段側の吸収器の圧力よりも低下させて蒸発温度を低下させるとともに、蒸発器での被冷却流体を下段側蒸発器より上段側蒸発器へ連通させたことを特徴としている。
【００１０】
以上の構成では、下段側吸収器での吸収器出口温度が高くなっても、上段側吸収器では過冷却状態のままであるため、蒸発温度が低下し、冷却流体の出口温度を低下させることが可能となる。
【００１１】
すなわち、同構成では、間接空冷方式でも、２段吸収を行うことによって単段式と比較して、定格の運転条件で、冷房能力を大きく向上させることが可能となる。
【００１２】
また、排熱（温水）利用式の吸収式冷凍装置においては、吸収器出口側の溶液濃度が低下することにより、排熱源の温度の低下、排熱の回収量を増加させることができる。
【００１３】
（２）  請求項２の発明
この発明の課題解決手段は、上記請求項１の発明の課題解決手段の構成において、蒸発器、吸収器各段の熱交部に冷媒、吸収溶液をそれぞれ均等に分配するための分配トレイを設け、蒸発器ではプレート部の表面を冷媒が液膜状態で流下し、冷媒が蒸発することによりプレート部内側の被冷却流体通路を流れる被冷却流体を冷却する構造とする一方、吸収器は過冷却された吸収溶液がプレート部の表面を液膜状態で垂直に流下することにより蒸発器からの冷媒蒸気の吸収を促進させる構造としたことを特徴としている。
【００１４】
このような構成によれば、平面プレートとして効果的に冷媒、吸収液の液膜化が図られることはもちろん、液膜部の面積拡大により、より有効に蒸発性能、吸収性能を向上させることができる。
【００１５】
（３）  請求項３の発明
この発明の課題解決手段は、上記請求項１又は２の発明の課題解決手段の構成において、吸収器は、多数の穴を設け、かつコの字状に折り曲げた複数枚のプレートを積層してなり、過冷却された溶液が、それらプレートの表面を液滴状態で落下しながら、プレートの表面に広がるに液膜を形成し、これら液滴と液膜の両方で蒸発器からの冷媒蒸気の吸収を効率良く促進させるように構成されていることを特徴としている。
【００１６】
このような構成によれば、吸収器平面プレート部での吸収液の液膜化と多数の穴を介した液滴化とが可能となり、それらの両方で冷媒蒸気の吸収性能を一層大きく向上させることができる。
【００１７】
この場合、穴あきプレートとしては、例えばパンチングプレートやエキスパンドメタルなどの採用が可能であり、そのようにすると、容易に加工製作することができる。
【発明の効果】
【００１８】
以上の結果、本願発明によると、間接空冷方式の場合でも、２段吸収を行うことによって単段式と比較して、冷房能力を大きく向上させることが可能となる。
【００１９】
また、排熱（温水）利用吸収式においては、吸収器出口側溶液濃度が低下することによって排熱源の温度の低下、排熱の回収熱量を増加させることが可能となる。
【発明を実施するための最良の形態】
【００２０】
（最良の実施の形態１）
図１〜図３は、本願発明の最良の実施の形態１に係る空冷吸収式冷凍装置の吸収器および蒸発器部分の構成を示している。
【００２１】
先ず図１は、蒸発器３Ａ，３Ｂと吸収器４Ａ，４Ｂを箱型の本体ケーシング１内に一体化した蒸発器および吸収器ユニットと同ユニットの吸収器４Ａ，４Ｂに対して吸収液循環路１２、吸収液循環ポンプ１１を介して設けられた空冷冷却器（空冷溶液熱交換器）１５部分の構成を示している。
【００２２】
すなわち、この実施の形態の場合、吸収器４Ａ，４Ｂに入る臭化リチウム（ＬｉＢｒ）吸収溶液を空冷冷却器（空冷溶液熱交換器）１５にて過冷却し、蒸発器３Ａ，３Ｂと一体で本体ケーシング１内に収められた吸収器４Ａ，４Ｂ内で、図示しない冷媒凝縮器から冷媒供給路１０を介して供給される凝縮冷媒を蒸発器３Ａ，３Ｂで蒸発させて生成した冷媒蒸気（水蒸気）を単に吸収させるだけで、吸収時に発生する吸収熱を過冷却された吸収溶液の顕熱で間接的に冷却する間接空冷方式（溶液分離冷却方式）が採用されている。
【００２３】
なお、空冷冷却器１５は、複数本の伝熱管１５ａ，１５ａ・・・とその外周の伝熱フィン１５ｂ，１５ｂ・・・、上下分配ヘッダ１６ａ，１６ｂ、冷却ファンＦにより、低コストに構成されている。
【００２４】
そして、蒸発器３Ａ，３Ｂ、吸収器４Ａ，４Ｂは、図１および図２に示されるように、それぞれ上下２段に構成され、それらの各々上部には、凝縮された冷媒、過冷却された吸収液をそれぞれ均等に分配するための冷媒分配トレイ３５，３６、吸収液分配トレイ４１，４２を各々設けている。そして、上記蒸発器３Ａ，３Ｂは、図３に示すように内部に被冷却流体通路３１，３１・・・を形成した複数枚のプレート３ａ，３ａ・・・、３ｂ，３ｂ・・・よりなるプレート型の熱交換器とし、それらの表面に冷媒を液膜で流下させ、その内側の被冷却流体通路３１，３１・・・を流れる被冷却流体と熱交換させることによって蒸発させて内部の被冷却流体（冷水等）を冷却するようになっている。
【００２５】
一方、吸収器４Ａ，４Ｂは、図２に示すように多数の穴を有してコの字形に折り曲げられたコルゲーション構造のプレート部４ａ，４ａ・・・、４ｂ，４ｂ・・・の両面を溶液が液滴状態と液膜状態で略垂直に流下することで、冷媒蒸気の吸収をより効果的に促進させるようになっている。
【００２６】
この場合、上記穴あきプレートとしては、例えばパンチングプレートやエキスパンドメタルなどの採用が可能であり、そのようにすると、容易に加工製作することができる。
【００２７】
なお、図１中の符号４３は下段側吸収器４Ｂからの希溶液の流出口、４４は上記空冷冷却器１６から上段側吸収器４Ａの吸収液分配トレイ４１への吸収液の流入口、３１は下段側蒸発器３Ｂの冷水の入り口、３２は下段側蒸発器３Ｂの冷水の出口、３３は上段側蒸発器３Ａの冷水の入り口、３４は上段側蒸発器３Ａの冷水の出口を示している。
【００２８】
このような構成によれば、蒸発器３Ａ，３Ｂのプレート部（蒸発部）３ａ，３ａ・・・、３ｂ，３ｂ・・・および吸収器４Ａ，４Ｂのプレート部（冷媒蒸気吸収部）４ａ，４ａ・・・、４ｂ，４ｂ・・・を伝熱管ではなくプレート部材で構成することができるようになり、蒸発器３Ａ，３Ｂ、吸収器４Ａ，４Ｂの一体化も可能となり、小型化、低コスト化が可能となる。
【００２９】
また、吸収液冷却用の空冷冷却器１５は、汎用の伝熱管や熱交換器が使用できるため、大きくコストが低下する。
【００３０】
また、以上の構成では、吸収器４Ａ，４Ｂの冷却方式を、当該吸収器４Ａ，４Ｂに流入する吸収液を空冷冷却器１５にて過冷却した吸収液の顕熱で取り去るだけの間接空冷方式とする一方、蒸発器３Ａ，３Ｂ、吸収器４Ａ，４Ｂを上下２段とし、吸収液を空冷冷却器１５にて過冷却して、先ず上段側の吸収器４Ａに流入させ、上段側の吸収器４Ａでは、その出口側吸収液を過冷却の状態で下段側の吸収器４Ｂに流入させることにより、上段側吸収器４Ａでの吸収器圧力を低下させ、蒸発温度を低下させるようにしている。
【００３１】
したがって、下段側吸収器４Ｂでの吸収器出口温度が高くなっても、上段側吸収器４Ａでは過冷却状態のままであるため、蒸発温度が低下し、蒸発器被冷却流体の出口温度を低下させることが可能となる。
【００３２】
すなわち、このような構成では、間接空冷方式でも、２段吸収を行うことによって単段式と比較して、定格の運転条件で、冷房能力を大きく向上させることが可能となる。
【００３３】
また、排熱（温水）利用式の吸収式冷凍装置においては、吸収器出口側の溶液濃度が低下することにより、排熱源の温度の低下、排熱の回収量を増加させることができる。
【００３４】
また、以上の構成では、蒸発器３Ａ，３Ｂ、吸収器４Ａ，４Ｂ各段の熱交部に冷媒、吸収溶液をそれぞれ均等に分配するための分配トレイ３５，３６、４１，４２を設け、蒸発器３Ａ，３Ｂではプレート部３ａ，３ａ・・・、３ｂ，３ｂ・・・の表面を冷媒が液膜状態で流下し、冷媒が蒸発することにより、プレート部３ａ，３ａ・・・、３ｂ，３ｂ・・・内側の被冷却流体通路３１，３１・・・、３１，３１・・・を流れる被冷却流体を冷却する構造とする一方、吸収器４Ａ，４Ｂは過冷却された吸収溶液がプレート部４ａ，４ａ・・・、４ｂ，４ｂ・・・の表面を液膜状態で略垂直に流下することにより、蒸発器３Ａ，３Ｂからの冷媒蒸気の吸収を促進させる構造としたことを特徴としている。
【００３５】
このような構成によれば、平面プレートとして効果的に冷媒、吸収液の液膜化が図られることはもちろん、液膜部の面積拡大により、より有効に蒸発性能、吸収性能を向上させることができる。
【００３６】
また、その場合、同吸収器４Ａ，４Ｂは、さらに具体的には、多数の穴を設け、かつコの字状に折り曲げた複数枚のプレート部４ａ，４ａ・・・、４ｂ，４ｂ・・・を積層して構成されており、過冷却された溶液が、それら各プレート部４ａ，４ａ・・・、４ｂ，４ｂ・・・の表面を液滴状態で落下しながら、下方側プレート部の表面に広がる液膜を形成するので、これら液滴と液膜の両方で蒸発器３Ａ，３Ｂからの冷媒蒸気の吸収を効率良く促進させるようになっている。
【００３７】
このような構成によれば、吸収器４Ａ，４Ｂのプレート部４ａ，４ａ・・・、４ｂ，４ｂ・・・での吸収液の液膜化と多数の穴を介した液滴化とが可能となり、それらの両方で冷媒蒸気の吸収性能を一層大きく向上させることができる。
【００３８】
この場合、穴あきプレートとしては、上述のように、例えばパンチングプレートやエキスパンドメタルなどの採用が可能であり、そのようにすると、容易に加工製作することができる。
【００３９】
また、以上の構成では、上記２段の蒸発器３Ａ，３Ｂの内部に流す被冷却流体を、下段側蒸発器３Ｂの下部より流入させて上部に流し、さらに同下段側蒸発器３Ｂ上部からの被冷却流体を上段側蒸発器３Ａの下部から流入させて上部にながすことにより、上段側蒸発器３Ｂの上部より下段側蒸発器３Ｂに向けて流下される冷媒と対向流状態で流出させるようにしている。
【００４０】
このように、上下２段構成とした蒸発器３Ａ，３Ｂの被冷却流体を下段側蒸発器３Ｂの下部より流入させて最終的に上段側蒸発器３Ａの上部から流出させるようにする一方、冷媒を上段側蒸発器３Ａの上部から下段側蒸発器３Ｂに向けて流下させるようにし、相互に対向する状態で流すようにすると、被冷却流体と冷媒相互の熱交換性能が向上するとともに、蒸発性能が促進される。
【００４１】
以上の結果、本実施の形態によると、間接空冷方式の場合でも、２段吸収を行うことによって単段式と比較して、冷房能力を大きく向上させることが可能となる。
【００４２】
また、排熱（温水）利用吸収式においては、吸収器出口側溶液濃度が低下することによって排熱源の温度の低下、排熱の回収熱量を増加させることが可能となる。
【００４３】
（最良の実施の形態２）
図４〜図６は、本願発明の最良の実施の形態２に係る空冷吸収式冷凍装置の吸収器および蒸発器部分の構成を示している。
【００４４】
この実施の形態では、図４〜図６に示すように、以上の最良の実施の形態２における蒸発器（蒸発部）３Ａ，３Ｂのプレート部３ａ，３ａ・・・、３ｂ，３ｂ・・・を断面菱形形状のもの、吸収器４Ａ，４Ｂのプレート部（冷媒蒸気吸収部）４ａ，４ａ・・・、４ｂ，４ｂ・・・をフラットな平面プレートに、それぞれ変更したものである。
【００４５】
その他の構成は、上記最良の実施の形態１のものと全く同様であり、同様の作用効果を奏する。
【００４６】
このような構成の場合、蒸発器３Ａ，３Ｂのプレート部（蒸発器）３ａ，３ａ・・・、３ｂ，３ｂ・・・の蒸発面（伝熱面）の面積が拡大されるとともに、内側の被冷却流体通路３１，３１・・・の断面積が拡大されるので、被冷却流体の流量を増大させることができる。
【００４７】
その結果、冷却性能、蒸発性能共に向上する。
【００４８】
また、吸収器４Ａ，４Ｂの構成が簡単になり、製造が容易で、低コストになる。
【図面の簡単な説明】
【００４９】
【図１】本願発明の最良の実施の形態１に係る空冷吸収式冷凍装置の蒸発器および吸収器部分の構成を示す概略図である。
【図２】同空冷吸収式冷凍装置の蒸発器および吸収器部分の構成を示す一部切欠斜視図である。
【図３】同空冷吸収式冷凍装置の蒸発器部分の縦断面図である。
【図４】本願発明の最良の実施の形態２に係る空冷吸収式冷凍装置の蒸発器および吸収器部分の構成を示す斜視図である（上段側のみで代表）。
【図５】同空冷吸収式冷凍装置の吸収器部分の構成を示す縦断面図である（上段側のみで代表）。
【図６】同空冷吸収式冷凍装置の吸収器部分の構成を示す縦断面図である（上段側のみで代表）。
【符号の説明】
【００５０】
１は本体ケーシング、３Ａは上段側蒸発器、３Ｂは下段側蒸発器、４Ａは上段側吸収器、４Ｂは下段側吸収器、１５は空冷冷却器、３５，３６は冷媒分配トレイ、４１，４２は吸収液分配トレイである。
【図１】
2007278570.tif 000003
【図２】
2007278570.tif 000004
【図３】
2007278570.tif 000005
【図４】
2007278570.tif 000006
【図５】
2007278570.tif 000007
【図６】
2007278570.tif 000008